(57)【特許請求の範囲】
【請求項１】
パネルに固着されパネルを露出する開口を有するカバーベースに、上記開口を開閉するスライドカバーを摺動可能に装着し、上記開口を閉鎖した上記スライドカバーを施錠，解錠する錠装置において、
上記スライドカバーの閉鎖側の先端部の裏面に被係止部を設け、上記カバーベースに取り付けられる錠前のロータの後端部に固着されるロックプレートに、外周面に形成される係合段部と施錠方向に回動したときに上記被係止部に係合する施錠アームを設けると共に、上記ロックプレートを施錠方向に付勢するロックスプリングを設け、上記カバーベース内に枢着されるロックストッパに閉鎖時の上記スライドカバーに押動される閉鎖感知部と、該閉鎖感知部が押動されたときに上記係合段部との係合が解除される係合突起を設けると共に、上記閉鎖感知部が上記スライドカバーに向けて突出する方向に上記ロックストッパを回動付勢するストッパスプリングを設けて成るスライドカバーの錠装置。
【請求項２】
パネルに固着されパネルを露出する開口を有するカバーベースに、上記開口を開閉するスライドカバーを摺動可能に装着し、上記開口を閉鎖した上記スライドカバーを施錠，解錠する錠装置において、
上記スライドカバーの閉鎖側の先端部の裏面に被係止部を突設し、上記カバーベースに取り付けられる錠前のロータの後端部に固着されるロックプレートに、円周方向に傾斜する円周傾斜面と該円周傾斜面の両端にそれぞれつながる施錠面と解錠面を設けたカム面を設け、上記カバーベースに挿入されるロック部材の先端に、閉鎖時のスライドカバーの上記被係止部に係合する係止面と、該係止面の反対側に形成される傾斜面を設け、上記ロック部材を先端方向に付勢するスプリングを設けると共に、該スプリングの付勢により上記カム面に圧接する押動突起を上記ロック部材に設けて成るスライドカバーの錠装置。
【請求項３】
上記カバーベースとスライドカバーの摺動面の一方に、上記スライドカバーの開閉方向に平行な開放規制溝を設け、他方に設けた底付きの孔に鋼球と該鋼球を上記開放規制溝に押圧する押圧スプリングを挿入することを特徴とする請求項１又は２記載のスライドカバーの錠装置。
【請求項４】
上記スライドカバーの裏面に上記スライドカバーの開閉方向に平行なラックを設け、上記カバーベースに一方向ダンパを設け、上記ラックに噛合するピニオンの軸を上記一方向ダンパに固着することにより、上記スライドカバーの閉鎖方向移動を開放方向移動よりも軽くしたことを特徴とする請求項１又は２記載のスライドカバーの錠装置。
【発明の詳細な説明】
【０００１】
【発明の属する技術分野】
本発明は、例えば自動販売機のドアパネルに設けられた施錠装置などの防盗性を高めるために、施錠装置などの表面を開閉するスライドカバーを閉鎖時に施錠，解錠するスライドカバーの錠装置に関する。
【０００２】
【従来の技術】
自動販売機のドアパネルに設けられた施錠装置は、管理人の所有する正規のキーで施錠，解錠することができ、他人が勝手にドアパネルを開けて商品を盗むことを防止している。
然し、人通りの途絶えた夜間を利用して、ピッキングツールを使用して不正解錠したり、或いは、ドリルで施錠装置を穿孔，破壊してドアパネルを強引に開ける悪質な盗難事故が発生することがある。
【０００３】
不正解錠或いは施錠装置の破壊による盗難事故を防止するために種々の方法が工夫され、施錠装置をピッキングされ難い構造としたり、高硬度材を組み込んで破壊され難い構造とする方法の他に、ドアパネルの開扉を阻止する機構を別に設け、この機構に施錠装置を設ける二重施錠方式や、施錠装置の表面にスライドカバーを設け、このスライドカバーに施錠装置を設ける二重施錠方式（特開平９−７８８９８号公報参照）などがある。
【０００４】
上記の公報に記載の「防盗用カバー装置」は、ドアパネルに装着された飛び出し型ハンドルとそのハンドルに設けられた錠装置を全面被覆する位置に、開口を有するベースを取り付け、ベースに摺動可能に設けられ、開口を開閉するカバーボックスに錠前を設けたものである。
カバーボックスは開口を閉鎖した状態で施錠され、解錠により開口を開放する方向に移動可能になり、開口を通してハンドルの錠装置を解錠すると、ハンドルが前面に突出して回動操作が可能になり、ハンドルを解錠方向にまわすと、ドアパネルを開くことができる。
【０００５】
【発明が解決しようとする課題】
このような二重施錠方式では、ハンドルの錠装置を施錠した後に、カバーボックスを閉鎖する手間と、カバーボックスを施錠操作する手間が必要になるので、二重施錠方式でないものに比較して施錠，解錠の手間が約２倍になり、煩わしくなる問題がある。
本発明は、かかる課題を解決することを目的とし、施錠の手間が煩わしくないスライドカバーの錠装置を提供するものである。
【０００６】
【課題を解決するための手段】
上記目的を達成するために、本発明のスライドカバーの錠装置は、
パネルに固着されパネルを露出する開口を有するカバーベースに、上記開口を開閉するスライドカバーを摺動可能に装着し、上記開口を閉鎖した上記スライドカバーを施錠，解錠する錠装置において、
上記スライドカバーの閉鎖側の先端部の裏面に被係止部を設け、上記カバーベースに取り付けられる錠前のロータの後端部に固着されるロックプレートに、外周面に形成される係合段部と施錠方向に回動したときに上記被係止部に係合する施錠アームを設けると共に、上記ロックプレートを施錠方向に付勢するロックスプリングを設け、上記カバーベース内に枢着されるロックストッパに閉鎖時の上記スライドカバーに押動される閉鎖感知部と、該閉鎖感知部が押動されたときに上記係合段部との係合が解除される係合突起を設けると共に、上記閉鎖感知部が上記スライドカバーに向けて突出する方向に上記ロックストッパを回動付勢するストッパスプリングを設けたものである。
【０００７】
或いは、本発明のスライドカバーの錠装置は、
パネルに固着されパネルを露出する開口を有するカバーベースに、上記開口を開閉するスライドカバーを摺動可能に装着し、上記開口を閉鎖した上記スライドカバーを施錠，解錠する錠装置において、
上記スライドカバーの閉鎖側の先端部の裏面に被係止部を突設し、上記カバーベースに取り付けられる錠前のロータの後端部に固着されるロックプレートに、円周方向に傾斜する円周傾斜面と該円周傾斜面の両端にそれぞれつながる施錠面と解錠面を設けたカム面を設け、上記カバーベースに挿入されるロック部材の先端に、閉鎖時のスライドカバーの上記被係止部に係合する係止面と、該係止面の反対側に形成される傾斜面を設け、上記ロック部材を先端方向に付勢するスプリングを設けると共に、該スプリングの付勢により上記カム面に圧接する押動突起を上記ロック部材に設けたものである。
【０００８】
上記カバーベースとスライドカバーの摺動面の一方に、上記スライドカバーの開閉方向に平行な開放規制溝を設け、他方に設けた底付きの孔に鋼球と該鋼球を上記開放規制溝に押圧する押圧スプリングを挿入することができる。
或いは、上記スライドカバーの裏面に上記スライドカバーの開閉方向に平行なラックを設け、上記カバーベースに一方向ダンパを設け、上記ラックに噛合するピニオンの軸を上記一方向ダンパに固着することにより、上記スライドカバーの閉鎖方向移動を開放方向移動よりも軽くすることができる。
【０００９】
【発明の実施の形態】
本発明の実施の形態について図面を参照して説明すると、図１〜図１１は本発明の第１実施例を示し、図１はスライドカバーが開放状態にあるときのスライドカバーの錠装置の斜視図、図２は図１の正面図、図３は図１の側面図、図４は図１の背面図である。
図１に示すように、スライドカバー１はカバーベース２に摺動可能に装着され、カバーベース２はドアパネルＤの飛び出し型ハンドル３の位置に設けられる。
【００１０】
施錠中の飛び出し型ハンドル３は、ドアパネルＤに設けられたハンドルケース４（図５参照）の前面に形成されたハンドル収容凹部に没入しているが、ハンドル３に設けられたシリンダ錠５の鍵孔６（図１参照）にキーを挿入して解錠すると、ハンドル３が突出し（図５参照）、回動操作可能になる。
ハンドル３を回動操作すると、ドアパネルＤと販売機本体のケースとのロックが解除され開扉可能になる。
【００１１】
カバーベース２は、矩形状の輪郭を有する板状に形成され、中央部に矩形状の大きな開口７が設けられ、開口７の両側内面に案内レール８が設けられ、開口７の上方に肉厚部分９が形成され、開口７の下方にストッパ１０が突設される（図１，図２，図５参照）。
カバーベース２の裏面に突出する複数のボルト１１が、ドアパネルＤに穿設された孔に挿通され、ドアパネルＤの内側からナットで緊締されて、カバーベース２がドアパネルＤに固着され、開口７よりハンドル３が露出する。
【００１２】
案内レール８に摺動可能に装着されるスライドカバー１は、スライドカバー１の閉鎖方向の先端部（図４において上端部）の裏面に軸形状の被係止部１２が突出し、全開したときにカバーベース２のストッパ１０に当接する全開量規制用の突起１３が設けられる（図４参照）。
スライドカバー１の横幅はカバーベース２の横幅とほぼ同一であり（図１参照）、スライドカバー１の閉鎖方向の先端部（図１において上側）は、カバーベース２の厚肉部分９の裏側に形成された凹部１４（図５参照）に挿入されるようにするため、両側端に切欠部１５が設けられている（図１参照）。
【００１３】
カバーベース２の厚肉部分９に、キーのマグネットによりロータ１７が回動可能になる錠前１６が挿入，固着され、錠前１６のロータ１７の後端部は、厚肉部分９の裏面に形成された凹部１８より突出し、この後端部にロックプレート１９の中央部が固着される（図４，図５参照）。
ロックプレート１９の略円形の外周面には、係合段部２０，施錠アーム２１，ばね支持突起２２が形成される。
【００１４】
施錠アーム２１の先端に屈曲した鉤状部２１ａが形成され、スライドカバー１が全閉位置にあるときに鉤状部２１ａは被係止部１２に係脱可能である。
凹部１８の底面にばね支持軸２３が立設され、ばね支持軸２３とばね支持突起２２にロックスプリング２４が張架される。
従って、ロックプレート１９はロータ１７を中心として図４の時計方向に付勢される。
【００１５】
図４において、ロックプレート１９の左側には、凹部１８に立設される支軸２５にロックストッパ２６が枢着される。
ロックストッパ２６には、ロックプレート１９の係合段部２０に係脱可能な係合突起２７と、閉鎖感知部２８が設けられ、閉鎖感知部２８と凹部１８の側壁面とに間にストッパスプリング５０が挿入される。
従って、ロックストッパ２６は図４において反時計方向に付勢され、閉鎖感知部２８が開口７の方向に突出している。
【００１６】
次に、以上のように構成されたスライドカバーの錠装置の作用を、施錠状態，解錠，開扉操作，閉扉，施錠操作の順に説明する。
施錠状態では、スライドカバー１は開口７を全閉し、切欠部１５が厚肉部分９の下端面に当接している（図６，図８，図９参照）。
錠前１６が施錠されているので、施錠角度にあるロックプレート１９は、施錠アーム２１の鉤状部２１ａが被係止部１２に係合し（図７参照）、スライドカバー１は開放不能である。
ロックストッパ２６は、スライドカバー１の施錠方向の先端（上端）に閉鎖感知部２８を押されて時計方向に回動した位置にあり、係合突起２７は係合段部２０から外れている（図７参照）。
【００１７】
このような施錠状態において、キーＫを錠前１６に装着すると、ロータ１７が回動可能になり、キーＫを解錠方向に回動操作するとロックプレート１９が、ロックスプリング２４の引張力に抗して図７において反時計方向に回動し、施錠アーム２１の鉤状部２１ａが被係止部１２から離脱してスライドカバー１が開放可能になり（図４参照）、ロックストッパ２６の閉扉感知部２８がスライドカバー１を押動してスライドカバー１が僅かに開かれるが、係止突起２７が下方に移動した係合段部２０に係合するので、ロックストッパ２６はそれ以上回動しない。
【００１８】
スライドカバー１を下方に全開すると、開口７よりハンドル３が露出し（図１参照）、ハンドル３のシリンダ錠５の鍵孔６にキーを挿入して解錠すると、ハンドル３が回動操作可能な位置まで突出する（図５参照）。
ハンドル３を操作するとドアパネルＤを開くことができる。
【００１９】
ドアパネルＤを閉鎖した後にハンドル３を押し込み施錠した後に、スライドカバー１を閉めると、閉鎖感知部２８を押されたロックストッパ２６が時計方向に回動し、ロックストッパ２６の係合突起２７が係合段部２０から外れ、ロックスプリング２４の付勢力を受けているロックプレート１９が施錠方向に回動して、施錠アーム２１の鉤錠部２１ａが被係止部１２に係合し、スライドカバー１は施錠される（図７の状態に戻る）。
従って、スライドカバー１を閉めるだけでスライドカバー１が施錠され、キーによる施錠操作を行う面倒がなくなる。
【００２０】
以上の第１実施例では、マグネット形式の錠前１６を使用したが、シリンダ錠を使用してもよい。
又、閉鎖感知部２８で僅かに押されたスライドカバー１が自重で急激に落下するのを防止するために、スライドカバー１とカバーベース２の摺動面の一方（本実施例ではカバーベース２）に底付きの孔２９を設け、底付きの孔２９に、鋼球３０と、鋼球３０を突出する方向に付勢するスプリング３１を挿入し（図１０参照）、他方に（本実施例ではスライドカバー１に）、全閉から僅かに開扉するときに鋼球３０が浅く係入する開放規制溝３２を有する（図４参照）自重落下防止機構を設けるとよい。
【００２１】
スライドカバー１が全閉しているとき、鋼球３０は開放規制溝３２の下端３２ａに位置しているため、キーＫの解錠操作によってスライドカバー１は自重で鋼球３０が開放規制溝３２の上端３２ｂに位置するまで移動することができる。
このような自重落下防止機構を設けた場合には、解錠操作により施錠アーム２１の鉤錠部２１ａが被係止部１２から離脱して、スライドカバー１が自重落下し、鋼球３０が開放規制溝３２の端部３２ｂに到達したときに鋼球３０が軽く係止され、スライドカバー１が一時停止する。
【００２２】
スライドカバー１が一時停止する位置は、図１１に示すように、スライドカバー１が隙間Ｓだけ開口した位置であり、この開口量によって解除が目視確認されると共に、急激な落下による危険が防止される。
一時停止したスライドカバー１の上端を押さえると、鋼球３０が開放規制溝３２の端部３２ａを乗り越えるので、そのままスライドカバー１を全開することができる。
【００２３】
図１２〜図１４は、本発明の第２実施例を示す図面であり、第１実施例との相違点を説明すると、ロックプレート１９に代えてロックプレート３３を設け、ロックストッパ２６に代えてロック部材３４を設け、被係止部１２に代えて被係止部３５を設けるものである。
なお、マグネット式の錠前１６に代えてシリンダ錠式の錠前３６を使用しているが、第１，第２実施例の何れも錠前１６或いは３６を選択して使用することができる。
【００２４】
第２実施例のその他の部品は第１実施例のものと同一機能を有するので、第１実施例と同一符号を付してその詳細説明を省略する。
図１３に示すように、カバーベース２の厚肉部分９に錠前３６を装着し、厚肉部分９の裏面に突出する錠前３６のロータ３７にロックプレート３３の中央部を固着する。
【００２５】
ロックプレート３３は、円形の中央部の外面から突出する扇形状突起３８が形成され、扇形状突起３８の裏面には、円周方向に向かって傾斜する円周傾斜面３９ａと、円周傾斜面３９ａの両端にそれぞれ接続する施錠面３９ｂと解錠面３９ｃとを有するカム面３９が設けられる（図１４参照）。
解錠面３９ｃは、施錠面３９ｂよりもカバーベース２の表面より遠ざかる位置にある。
【００２６】
ロック部材３４は、カバーベース２に設けられた貫通孔に挿入され、カバーベース２の裏面に立設されたばね受け４１とロック部材３４との間に挿入されるスプリング４２により、ロック部材３４は先端部（図１３において右端部）がカバーベース２の表面から突出する方向に付勢され、ロック部材３４の後端部より上方に突出する押動突起４３がカム面３９に圧接する。
【００２７】
スライドカバー１の被係止部３５は、スライドカバー１の閉鎖方向先端部の裏面より突出し、ロック部材３４の先端部には、スライドカバー１閉鎖時の被係止部３５に係合する係止面３４ａが設けられ、係止面３４ａの反対面に傾斜面３４ｂが設けられる。
【００２８】
以上のように構成される第２実施例のスライドカバーの錠装置の作用を、施錠状態，解錠，開扉操作，閉扉，施錠操作の順に説明する。
施錠状態では、スライドカバー１が開口７を全閉し、ロックプレート３３は施錠角度にあり、ロック部材３４の押動突起４３はカム面３９の施錠面３９ｂに当接し、突出する方向に付勢されているロック部材３４は突出した位置にあり、係止面３４ａがスライドカバー１の被係止部３５に係合しているので、スライドカバー１は施錠されている（図１３，図１４参照）。
【００２９】
錠前３６の鍵孔４４に挿入したキーを解錠方向に回動操作すると、ロータ３７と共にロックプレート３３が図１４において反時計方向に回動し、円周傾斜面３９ａで押動突起４３を押されたロック部材３４が後退し、解錠面３９ｃの位置において係止面３４ａが被係止部３５から離脱するのでスライドカバー１が開閉可能になり、スライドカバー１を開く。
キーを施錠角度に戻してキーを引き抜くと、スプリング４２により押動突起４３が円周傾斜面３９ａに沿って移動し、ロック部材３４が施錠位置（図１３参照）に復帰する。
【００３０】
スライドカバー１を閉めていくと、全閉寸前の位置で被係止部３５がロック部材３４の傾斜面３４ｂに当り、傾斜面３４ｂを押されたロック部材３４が後退するので、スライドカバー１が全閉位置まで移動し、被係止部３５が係止面３４ａを通過したときに、ロック部材３４が再び突出し、係止面３４ａと被係止部３５が係合するので、スライドカバー１が施錠される。
【００３１】
スライドカバー１が解錠したときに、自重により急激に落下するのを防止するため、図１２に示すように、スライドカバー１の裏面に、開閉方向に平行な２条のラック４５を設け、カバーベース２に一方向ダンパー４６を設け、ラック４５に噛合するピニオン４７に、一方向ダンパー４６に固着される軸を設ける。
一方向ダンパー４６は、スライドカバー１が下方に開くときにピニオン４７の回動に負荷を与えてスライドカバー１の急激落下を防止し、スライドカバー１が上方に閉まるときには無負荷になるものである。
この急激落下を防止する機構は、第１，第２実施例の何れにも適応することができる。
【００３２】
【発明の効果】
本発明は以上のように構成されているので、以下に記載されるような効果を奏する。
(1) 本発明のスライドカバーの錠装置は、スライドカバーを閉めるだけで自動施錠されるので、二重施錠方式に生じる煩わしい手間が簡単になる効果がある。
(2) 本発明のスライドカバーの錠装置は、構造が簡単であり、安価に提供できる利点がある。
(3) 第１実施例のスライドカバーの錠装置では、解錠によってスライドカバーが僅かに開くので、解錠を外部から簡単に目視確認できる。
(4) 鋼球を開放規制溝に係入させた機構、或いはラックに噛合するピニオンを一方向ダンパーに固着させる機構を設けた場合には、解錠と同時にスライドカバーが急激に自重落下する危険を防止することができる。
【図面の簡単な説明】
【図１】スライドカバーが開かれたときの第１実施例のスライドカバーの錠装置の斜視図である。
【図２】図１の正面図である。
【図３】図１の側面図である。
【図４】図１の背面図である。
【図５】スライドカバーが開かれ、ハンドルが突出した状態を説明するスライドカバーの錠装置の縦断面図である。
【図６】施錠状態のスライドカバーの錠装置の斜視図である。
【図７】施錠状態のスライドカバーの錠装置の背面図である。
【図８】図７の正面図である。
【図９】図７の側面図である。
【図１０】鋼球を使用した急激落下防止機構の縦断面図である。
【図１１】鋼球を使用した急激落下防止機構によりスライドカバーが一時停止した状態を示すスライドカバーの錠装置の背面図である。
【図１２】本発明の第２実施例を示すスライドカバーの錠装置を、スライドカバーを除いて見た正面図である。
【図１３】図１２の縦断面図である。
【図１４】図１２の背面図である。
【符号の説明】
Ｄ              ドアパネル
１              スライドカバー
２              カバーベース
７              開口
１２            被係止部
１６            錠前
１７            ロータ
１９            ロックプレート
２０            係合段部
２１            施錠アーム
２１ａ          鉤状部
２４            ロックスプリング
２６            ロックストッパ
２７            係合突起
２８            閉鎖感知部
３０            鋼球
３１            スプリング
３２            開放規制溝
３３            ロックプレート
３４            ロック部材
３４ａ          係止面
３４ｂ          傾斜面
３５            被係止部
３６            錠前
３７            ロータ
３９            カム面
３９ａ          円周傾斜面
３９ｂ          施錠面
３９ｃ          解錠面
４２            スプリング
４３            押動突起
４５            ラック
４６            一方向ダンパー
４７            ピニオン
【図１】
0003822726.tif 000002
【図２】
0003822726.tif 000003
【図３】
0003822726.tif 000004
【図４】
0003822726.tif 000005
【図５】
0003822726.tif 000006
【図６】
0003822726.tif 000007
【図７】
0003822726.tif 000008
【図８】
0003822726.tif 000009
【図９】
0003822726.tif 000010
【図１０】
0003822726.tif 000011
【図１１】
0003822726.tif 000012
【図１２】
0003822726.tif 000013
【図１３】
0003822726.tif 000014
【図１４】
0003822726.tif 000015